(57)【要約】【課題】円筒形建物の全周・全面に渡る補修や点検作業などを短期間で行う仮設足場を構築することができる吊り足場パネルとその施工方法の提供。【解決手段】円筒形建物の回りに円周方向に連結して水平に構築していく矩形の吊り足場パネルであって、吊り足場パネルの一方の連結部に棒状又は管状の預け金具を設け、かつ、他方の連結部の両端部に、抜け止め金具を備えた爪形状の受け金具を連結部とは直角に設け、さらに連結部とは直角をなす側部の受け金具側の端部にチェーン取り付け用の吊り部材を設けてなることを特徴とする吊り足場パネルとその施工方法。【選択図】図３
2018204334.tif 000002
【特許請求の範囲】
【請求項１】
円筒形建物の回りに円周方向に連結して水平に構築していく矩形の吊り足場パネルであって、吊り足場パネルの一方の連結部に棒状又は管状の預け金具を設け、かつ、他方の連結部の両端部に、抜け止め金具を備えた爪形状の受け金具を連結部とは直角に設け、さらに連結部とは直角をなす側部の受け金具側の端部にチェーン取り付け用の吊り部材を設けてなることを特徴とする吊り足場パネル。
【請求項２】
受け金具は上記預け金具を受容することができるものであって、上方に開口を備える受け入れ部及び上方に庇を備える留め置き部を有し、開口から受け入れ部に受け入れた預け金具を留め置き部の庇の下に水平移動させた後に抜け止め金具を掛けることができることを特徴とする、請求項１に記載の吊り足場パネル。
【請求項３】
抜け止め金具は突起部を有していて、留め置き部の庇の先端近傍に設置されており、庇の先端近傍を回転軸として突起部を垂直方向に回動させることができ、かつ突起部が下方にあることによって突起部を固定することができることを特徴とする、請求項２に記載の吊り足場パネル。
【請求項４】
受け入れ部に受け入れた預け金具を留め置き部の庇の下に水平移動させることによって抜け止め金具を垂直方向に回動させ、そして、抜け止め金具の突起部が下方に来たときに突起部を固定することができることを特徴とする、請求項３に記載の吊り足場パネル。
【請求項５】
受け金具が連結方向にスライド可能であることを特徴とする、請求項１から４までのいずれかに記載の吊り足場パネル。
【請求項６】
円筒形建物の側面に固定するために吊り足場パネルの側方向にスライド可能な側方向固定材を側部の一方又は両方に有することを特徴とする、請求項１から５までのいずれかに記載の吊り足場パネル。
【請求項７】
支柱を立設するためのホゾ材を側部の両端部に有することを特徴とする、請求項１から６までのいずれかに記載の吊り足場パネル。
【請求項８】
ホゾ材の一部又は全部が取り外し可能であることを特徴とする、請求項７に記載の吊り足場パネル。
【請求項９】
次の(a)〜(k)の工程を有することを特徴とする、円筒形建物の回りに水平方向に構築していく、請求項１から８までのいずれかに記載の吊り足場パネルの施工方法。
(a) 円筒形建物の側面に複数段からなる昇降用の仮設足場を立てる。
(b) 吊り足場パネルを構築しようとするのと同じレベルの上記昇降用の仮設足場のうちの一段に、吊り足場パネルの連結部に設けられた預け金具を受容することができる爪形状の受けブラケットを円筒形建物の円周方向に水平に取り付ける。
(c) １枚目の吊り足場パネルの預け金具を上記受けブラケット上に受容した後に抜け止めすることによって、１枚目の吊り足場パネルを上記の受けブラケット上に垂直に載置するとともに、１枚目の吊り足場パネル設置チェーンの一端を上記仮設足場に取り付け、そして他端を１枚目の吊り足場パネルのチェーン取り付け孔に取り付ける。
(d) １枚目の吊り足場パネルのチェーン取り付け孔に取り付けた設置チェーンを徐々に伸ばすことによって、上記受けブラケット上に垂直に載置した１枚目の吊り足場パネルの預け金具を回転軸として、１枚目の吊り足場パネルを水平レベルまで回転させ、設置チェーンを張って、１枚目の吊り足場パネルを水平レベルで固定させる。
(e) １枚目の吊り足場パネル吊りチェーンの一端を円筒形建物の外周壁に備わる配管受け金具又は補強材に取り付け、そして、他端を１枚目の吊り足場パネルのチェーン取り付け孔に取り付けたのち、１枚目の吊り足場パネルの水平レベルを保ったまま、設置チェーンを外す。
(f) 水平レベルで固定されている１枚目の吊り足場パネルに支柱材を立設したのち、手摺を形成する。
(g) 上記水平レベルで固定されている１枚目の吊り足場パネルの爪形状の受け金具に、２枚目の吊り足場パネルを垂直に載置するとともに、２枚目の吊り足場パネル設置チェーンの一端を上記支柱材に取り付け、そして他端を２枚目の吊り足場パネルのチェーン取り付け孔に取り付ける。
(h) ２枚目の吊り足場パネルのチェーン取り付け孔に取り付けた設置チェーンを徐々に伸ばすことによって、上記縦に載置した２枚目の吊り足場パネルの預け金具を回転軸として、２枚目の吊り足場パネルを水平レベルまで回転させ、２枚目の吊り足場パネル設置チェーンを張って、２枚目の吊り足場パネルを水平レベルで固定させる。
(i) ２枚目の吊り足場パネル吊りチェーンの一端を円筒形建物の最上部回りに備わる通路又は配管ブラケットに取り付け、そして、他端を２枚目の吊り足場パネルのチェーン取り付け孔に取り付けたのち、２枚目の吊り足場パネルの水平レベルを保ったまま、設置チェーンを外す。
(j) 水平レベルで固定されている２枚目の吊り足場パネルに支柱材を立設したのち、手摺を形成する。
(k) 以後、上記(g)〜(j)を繰り返す。
【請求項１０】
次の(a)〜(k)の工程を有することを特徴とする、円筒形建物の回りに水平方向に構築していく、請求項１から８までのいずれかに記載の吊り足場パネルの施工方法。
(a) 円筒形建物の側面に複数段からなる昇降用の仮設足場を立てる。
(b) 吊り足場パネルを構築しようとするのと同じレベルの上記昇降用の仮設足場のうちの一段に、支持ブラケットを円筒形建物の円周方向に迫り出して取り付け、その上に、吊り足場パネルの連結部に設けられた預け金具を受容することができる爪形状の受け金具を有するスターターパネルを上記支持ブラケット上に水平レベルに設置し、その後、水平レベルで固定されているスターターパネルに支柱材を立設したのち、手摺を形成する。
(c) １枚目の吊り足場パネルの預け金具を上記スターターパネルの爪形状の受け金具上に受容した後に抜け止めすることによって、１枚目の吊り足場パネルを上記のスターターパネルの爪形状の受け金具上に垂直に載置するとともに、１枚目の吊り足場パネル設置チェーンの一端を上記スターターパネルの支柱材に取り付け、そして他端を１枚目の吊り足場パネルのチェーン取り付け孔に取り付ける。
(d) １枚目の吊り足場パネルのチェーン取り付け孔に取り付けた設置チェーンを徐々に伸ばすことによって、上記受けブラケット上に垂直に載置した１枚目の吊り足場パネルの預け金具を回転軸として、１枚目の吊り足場パネルを水平レベルまで回転させ、設置チェーンを張って、１枚目の吊り足場パネルを水平レベルで固定させる。
(e) １枚目の吊り足場パネル吊りチェーンの一端を円筒形建物の外周壁に備わる配管受け金具又は補強材に取り付け、そして、他端を１枚目の吊り足場パネルのチェーン取り付け孔に取り付けたのち、１枚目の吊り足場パネルの水平レベルを保ったまま、設置チェーンを外す。
(f) 水平レベルで固定されている１枚目の吊り足場パネルに支柱材を立設したのち、手摺を形成する。
(g) 上記水平レベルで固定されている１枚目の吊り足場パネルの爪形状の受け金具に、２枚目の吊り足場パネルを垂直に載置するとともに、２枚目の吊り足場パネル設置チェーンの一端を上記支柱材に取り付け、そして他端を２枚目の吊り足場パネルのチェーン取り付け孔に取り付ける。
(h) ２枚目の吊り足場パネルのチェーン取り付け孔に取り付けた設置チェーンを徐々に伸ばすことによって、上記縦に載置した２枚目の吊り足場パネルの預け金具を回転軸として、２枚目の吊り足場パネルを水平レベルまで回転させ、２枚目の吊り足場パネル設置チェーンを張って、２枚目の吊り足場パネルを水平レベルで固定させる。
(i) ２枚目の吊り足場パネル吊りチェーンの一端を円筒形建物の最上部回りに備わる通路又は配管ブラケットに取り付け、そして、他端を２枚目の吊り足場パネルのチェーン取り付け孔に取り付けたのち、２枚目の吊り足場パネルの水平レベルを保ったまま、設置チェーンを外す。
(j) 水平レベルで固定されている２枚目の吊り足場パネルに支柱材を立設したのち、手摺を形成する。
(k) 以後、上記(g)〜(j)を繰り返す。
【発明の詳細な説明】
【技術分野】
【０００１】
本発明は、石油タンクなどの円筒形建物の外壁面の補修や点検作業などのための仮設足場を構築する吊り足場パネル及びその施工方法に関する。
【背景技術】
【０００２】
一般に、石油タンクなどの円筒形建物の補修や点検作業では、地上から仮設足場を組み上げるのではなく、円筒形建物の最上部外周から吊り足場を仮設することが多い。これは、石油タンクの周りには石油移送用の配管が張りめぐらされており、仮設足場を組み上げることが困難なためである。
【０００３】
この種の円筒形建物の吊り足場としては、図１及び図２に示すように、円筒形建物の外周に沿って垂直に吊り下げられて円周方向に移動できるものが従来から知られている。
【０００４】
この吊り足場１は、円筒形の石油タンク３１の天蓋３１ａから吊り下げた２本のロープの間に、１枚の足場板を架け渡すことで（図１）又は複数枚の足場板を縄梯子状に架け渡すことで（図２）形成されており、石油タンクの天蓋上に載荷された走行台車（図示せず）によって、石油タンクの側面を円周方向に移動可能にしている。
【０００５】
特許文献１及び特許文献２には、２本のロープに複数本の連結桿を縄梯子状に取り付けたものを２本平行に配置して、それぞれの連結桿に足場板を架け渡し、この連結桿をロープと平行なパイプにクランプ金具により連結して揺れ止めしたものを、円筒タンクの天蓋上に載荷され円周方向に移動可能な走行台車に上記２本のロープでもって懸架させてなる吊り足場が開示されている。
【０００６】
特許文献３には、円筒タンクの天蓋上の中心にアームの先端が軸支され、かつ、このアームの下部に走行台車を設けることによって天蓋上を円周方向に移動可能なアームの他端に箱形の作業足場をロープでもって昇降自在に懸架させてなる吊り足場が開示されている。
【先行技術文献】
【特許文献】
【０００７】
【特許文献１】特開昭５６−９３９６９号公報
【特許文献２】特開昭５７−１２５１８４号公報
【特許文献３】特開昭５９−１０３６７９号公報
【発明の概要】
【発明が解決しようとする課題】
【０００８】
石油タンクは、タンク内面に固定された天蓋を有するコーンルーフタンクと、タンク内面には固定されず石油の上面に直接浮かぶ浮き屋根を有するフローティングルーフタンクに大別される。したがって、特許文献１〜３に記載された吊り足場は、いずれもコーンルーフタンクのように固定された天蓋を有する円筒形建物には適用できるが、フローティングルーフタンクのように固定した天蓋を有さない円筒形建物には適用できない。
【０００９】
特許文献１及び特許文献２に記載の吊り足場では、円筒形建物の外壁面のスポット的な補修や点検作業などには有効である。しかし、円筒形建物の外周の縦一列に設置されるだけであるから、円筒形建物の全周に渡る補修や点検作業などの場合には、吊り足場を吊り下げる場所を水平方向に移動させる必要がある。しかしながら、吊り足場を吊り下げる場所を水平方向に移動させようとすると、作業者全員を一旦吊り足場から退去させた後、吊り足場を移動させ、固定した後、作業者を再度吊り足場に入れるという手間がかかることになる。したがって、補修や点検作業に長期間を要するという問題点がある。
【００１０】
特許文献３に記載の吊り足場でも、円筒形外壁面のスポット的な補修や点検作業などには有効である。そして、円筒形建物の外周の水平方向への移動は手間が掛からないが、箱形の作業足場に搭乗できる作業員数は限られているので、円筒形建物の全周に渡る補修や点検作業などの場合には、吊り足場を吊り下げる場所を頻繁に水平方向に移動させる必要が出てくる。したがって、補修や点検作業に長期間を要するという問題点がある。
【００１１】
本発明は、円筒形建物の全周・全面に渡る補修や点検作業などを短期間で行うことができる仮設足場を構築する吊り足場パネルとその施工方法を提供することを目的とする。
【課題を解決するための手段】
【００１２】
本発明者らは、上記目的を達成するべく、検討を重ねた。その結果、次の(i)〜(x)に示す知見を得た。
【００１３】
(i)円筒形建物の全周・全面に渡る補修や点検作業などであっても短期間で行う仮設足場を構築するためには、概略矩形に形成された骨組に床材を張り付けてなるパネルを、円筒形建物の外周壁から吊り下げたチェーンで吊りながら、外周の全周に渡って円周方向に連結して水平に構築していく「パネル方式」を採用するのがよい。この方式であれば、固定した天蓋を有さない円筒形建物にも適用できる。円筒形建物の外周壁には、配管受け金具若しくは補強材又は点検用通路が備わっているので、ここからパネルをチェーンにより吊り下げることができる。
【００１４】
円筒形建物の周りに、吊り足場パネルを円周方向に連結して水平に構築する仮設足場の段数が複数の場合には、配管受け金具若しくは補強材又は点検用通路からチェーンを複数段分吊り下げて吊り足場パネルからなる仮設足場の格段を構築してもよいし、吊り足場パネルの吊り部材の下部にチェーン取り付け孔を追加しておき、構築済みの上段の仮設足場から下段の吊り足場パネルをチェーンにより吊り下げてもよい。複数段の補強材を外周壁に備える円筒形建物の場合には、それぞれの段の補強材から吊り足場パネルをチェーンにより吊り下げることにより、仮設足場を複数段構築することもできる。
【００１５】
(ii) 円筒形建物の外周の全周に渡って吊り足場パネルを水平に構築するには、矩形の吊り足場パネルの複数枚を円筒形建物の外周方向に連結して設置すればよい。吊り足場パネルは、吊り足場パネル同士を連結する部位となる２つの連結部とこれとは直角をなす２つの側部からなる矩形の枠組を形成すればよい。そして、吊り足場パネルの一方の連結部に管状又は棒状の預け金具を設け、かつ、他方の連結部に、抜け止め金具を備えた爪形状の受け金具を連結部とは直角に設けるのがよい。さらに、吊り足場パネルの２つの側部の受け金具側の端部に、チェーン取り付け用の吊り部材をそれぞれ設けるのがよい。この吊り部材はプレート形状を有するのが好ましい。このチェーン取り付け孔は、吊り足場パネルを円筒形建物の外周壁に備わる配管受け金具若しくは補強材又は点検用通路から吊り下げておくための吊りチェーンと、吊り足場パネルからなる仮設足場の構築時に設置済みの吊り足場パネルの隣に新たな吊り足場用パネルを設置するために使用する設置チェーンを取り付けるために複数個備えるのが好ましい。したがって、吊り部材には、チェーン取り付け孔として、吊りチェーン用の孔と設置チェーン用の孔の２個を設けるのが好ましい。２個の孔は別個に設けてもよいし、２個の孔の間に切り欠きを設けてもよい。また、吊り足場パネルからなる仮設足場を、構築済みの仮設足場の下段に構築する場合があることを考慮して、吊り足場パネルを下方に吊り下げておくためのチェーンを取り付ける吊りチェーン用の孔４５ａ’を吊り部材の下部に追加して設けてもよい。
【００１６】
(iii) 吊り足場パネルの上面には、作業又は歩行するための床材８を張るが、床材８は滑りにくいように、チェッカープレートやエキスパンド等を使用するのが好ましい。そして、吊り足場パネルは矩形であればよく、連結部と側部のサイズの大小は問わない。連結部が０．６〜１．３ｍ程度、側部が０．９〜１．５ｍ程度のものが好ましい。移動性と操作性からは、連結部が０．９ｍ程度、側部が１．２ｍ程度のものがより好ましい。
【００１７】
(iv) 吊り足場パネルの預け金具は、吊り足場パネルの一方の連結部に設けられる。円管状又は丸棒状の金属材料を用いるのが好ましい。預け金具は、設置済みの隣接する吊り足場パネルの受け金具に受容されることができ、かつ、受容後にこの預け金具の軸周りに吊り足場パネルを回転させることができるように、預け金具は吊り足場パネルに対して動かないように固定する。吊り足場パネルの預け金具と受け金具の間の長さの調節のために、預け金具を吊り足場パネルの長さ方向にスライドできる構造としてもよい。
【００１８】
(v) 吊り足場パネルの受け金具は爪形状を有しており、吊り足場パネルの他方の連結部の両端部に設けられ、抜け止め金具を備えている。受け金具は、上方に開口を備える受け入れ部及び上方に庇を備える留め置き部を有し、開口から受け入れ部に受け入れた預け金具を留め置き部の庇の下に水平移動させた後に抜け止め金具を掛けることができることが好ましい。そのためには、抜け止め金具は突起部を有していて、留め置き部の庇の先端近傍に設置されており、庇の先端近傍を回転軸として突起部を垂直方向に回動させることができ、かつ突起部が下方にあるときに突起部を固定することができ、もって抜け止め金具を掛けることができるのがより好ましい。受け入れ部に受け入れた預け金具を留め置き部の庇の下に水平移動させることによって抜け止め金具を垂直方向に回動させ、そして、抜け止め金具の突起部が下方に来たときに突起部を手動で固定するか、バネを仕込み、その付勢力を用いて固定することによって、抜け止め金具を掛けることができるのが、さらに好ましい。抜け止め金具を外すためには、突起部を手動で上方に回動させればよい。吊り足場パネルは、円筒形建物の外周の全周に渡って水平方向に連続して設置することになるので、個々の吊り足場パネルの設置角度を調節できるのが好ましい。そのために、受け金具のそれぞれを別個に吊り足場パネルの連結方向にスライドできる構造とすることで受け金具の位置調整するのがよい。たとえば、受け金具の取り付け管を吊り足場パネルの連結部に対して直角に設け、この取り付け管をスライド可能な二重管とすればよい。取り付け管のスライドは吊り足場パネルを設置する前に行うことができるが、吊り足場パネルを設置後にも行うことができるのが好ましい。そのためには、吊り足場パネルの上から取り付け管のスライドができるように、吊り足場パネルの床材に開口部を設けて、この開口部を通して受け金具位置調整ボルトを操作すればよい。
【００１９】
(vi) 吊り足場パネルは円筒形建物の側面に固定できるのが好ましい。吊り足場パネルが風などで揺れるのを防止することができるからである。上述の通り、個々の吊り足場パネルの設置角度を調節できるのが好ましい。そのために、吊り足場パネルの側方向にスライド可能な側方向固定材を側部の一方又は両方に設けることで、側方向固定材の位置調整するのがよい。たとえば、側方向固定材の取り付け管を吊り足場パネルの側部に対して直角に設け、この取り付け管をスライド可能な二重管とすればよい。側方向固定材としては、吊り足場パネルの側面を円筒形建物に固定できるものであればよい。たとえば、吸盤や磁石を挙げることができる。
【００２０】
(vii) 吊り足場パネルは、手摺を形成するために、支柱を吊り足場パネルの側部に立設できるのが好ましい。このためには、吊り足場パネルの側部の端部近傍に、管形状の支柱を上方から垂直方向に外挿または内挿できる鋼管又は丸棒からなり、上部に支柱を固定できる取り付け孔を有するホゾ材を設ければよい。ホゾ材は吊り足場パネルに固定してもよいし、取り外し可能にしてもよい。また、ホゾ材の設置位置は、吊り足場パネル１枚に対して２か所以上設ければよいが、それぞれの側部の両端部近傍の合計４か所に設けるのが好ましい。この場合、受け金具側の端部近傍に設置されるホゾ材は吊り足場パネルに固定し、預け金具側の端部近傍に設置されるホゾ材は吊り足場パネルから取り外し可能とするのがよい。後述するように、円筒形建物の側面に複数段からなる昇降用の仮設足場を立てて、その足場に吊り足場パネルを水平方向に連続して設置することによって吊り足場パネルからなる仮設足場を構築するとき、昇降用の仮設足場に隣接して設置される１枚目の吊り足場パネル又はスターターパネルには預け金具側の端部近傍に支柱が必要であるが、それ以外の場所に設置される吊り足場パネルには預け金具側の端部近傍に支柱は必要なく、よって支柱を立設するためのホゾ材も必要ないため、吊り足場パネルの軽量化を目的として、取り外し可能とするのがよいからである。
【００２１】
設置済みの吊り足場パネルの側部にホゾ材を介して立設された２本の支柱の間に、手摺材を１〜３本水平に取り付けることによって、設置済みの吊り足場パネルの側部の上に手摺を設置することができる。手摺は設置済みの吊り足場パネルの両方の側部の上に設置されるのが好ましい。一番上の手摺材の高さは吊り足場パネルの床面から１ｍ程度とするのが好ましい。吊り足場パネルは円筒形建物の側面に水平に曲線状に連続して配置されることになるから、手摺材は途中で折り曲げることができるのが好ましく、このためには、途中に間接部を設ければよい。また、手摺材は長さ可変であることが好ましく、このためには、手摺材の一部を二重管にして長さ方向にスライドできるようにするのが好ましい。
【００２２】
(viii) 吊り足場パネルを円筒形建物の外壁面に水平に曲線状に連続して設置して仮設足場を構築した場合には、設置済みの吊り足場パネルが対峙する連結部の間には、隙間が形成される場合がある。隙間が大きいと吊り足場パネルからなる仮設足場上で使用される部材がその隙間から落下する危険性がある。また、場合によっては、作業員の脚がその隙間にはまり、バランスを崩すことで、足場外に転落する危険性もある。したがって、隙間塞ぎ材を設置して隙間を塞ぐことが好ましい。設置済みの吊り足場パネルの上に隙間塞ぎ材を載置し固定することができる。あるいは、吊り足場パネルの連結部に、蝶番を介して回動可能に、又は、水平方向に引き出し可能に、端部隙間塞ぎ材をパネル床面と面一になるように設けておけば、吊り足場パネルの設置作業をしながら、隙間塞ぎ材を設置することができる。
【００２３】
(ix) このような吊り足場パネルを用いて、円筒形建物の回りに水平方向に吊り足場パネルからなる仮設足場を構築していくには、次の(a)〜(k)の工程により施工すればよい。
【００２４】
(a) 円筒形建物の側面に複数段からなる昇降用の仮設足場を立てる。
【００２５】
(b) 吊り足場パネルを構築しようとするのと同じレベルの上記昇降用の仮設足場に、吊り足場パネルの連結部に設けられた預け金具を受容することができる２個の爪形状の受けブラケットを円筒形建物の円周方向に水平に取り付ける。
【００２６】
(c) 上記昇降用の仮設足場の支柱には吊り足場パネル設置チェーンの一端が取り付けられ、そして、仮設足場の床面の上に預け金具の側を下にして垂直に載置した１枚目の吊り足場パネルのチェーン取り付け孔には、吊り足場パネル設置チェーンの他端が取り付けられる。この作業は、１枚目の吊り足場パネルの２つの側部のそれぞれでなされる。その後、預け金具の側を下にしたまま、１枚目の吊り足場パネルを上記２個の受けブラケット上に受容し、預け金具の抜け止めをする。
【００２７】
(d) １枚目の吊り足場パネルのチェーン取り付け孔のそれぞれに取り付けた２個の設置チェーンを徐々に伸ばすことによって、上記受けブラケット上に垂直に載置した１枚目の吊り足場パネルの預け金具を回転軸として、１枚目の吊り足場パネルを水平レベルまで回転させる。そして、２個の設置チェーンを張って、１枚目の吊り足場パネルを水平レベルで固定させることで、１枚目の吊り足場パネルが設置される。
【００２８】
(e) １枚目の吊り足場パネル吊りチェーンの一端を円筒形建物の外周壁に備わる配管受け金具又は補強材に取り付けた取付け金具６７に吊り下げ、そして、他端を１枚目の吊り足場パネルのチェーン取り付け孔に取り付ける。その後、１枚目の吊り足場パネルの水平レベルを保ったまま、設置チェーンを外す。
【００２９】
(f) 水平レベルで固定されている、設置済みの１枚目の吊り足場パネルに支柱材を立設したのち、手摺を形成する。
【００３０】
(g) 上記水平レベルで固定されている、設置済みの１枚目の吊り足場パネルの爪形状の受け金具に、２枚目の吊り足場パネルを垂直に載置するとともに、２枚目の吊り足場パネル設置チェーンの一端を上記支柱材に取り付け、そして他端を２枚目の吊り足場パネルのチェーン取り付け孔に取り付ける。
【００３１】
(h) ２枚目の吊り足場パネルのチェーン取り付け孔に取り付けた設置チェーンを徐々に伸ばすことによって、上記縦に載置した２枚目の吊り足場パネルの預け金具を回転軸として、２枚目の吊り足場パネルを水平レベルまで回転させる。そして、２枚目の吊り足場パネル設置チェーンを張って、２枚目の吊り足場パネルを水平レベルで固定させることで２枚目の吊り足場パネルを設置する。
【００３２】
(i) ２枚目の吊り足場パネル吊りチェーンの一端を円筒形建物の最上部回りに備わる通路又は配管ブラケットに取り付け、そして、他端を２枚目の吊り足場パネルのチェーン取り付け孔に取り付けたのち、２枚目の吊り足場パネルの水平レベルを保ったまま、設置チェーンを外す。
【００３３】
(j) 水平レベルで固定されている、設置済みの２枚目の吊り足場パネルに支柱材を立設したのち、手摺を形成する。
【００３４】
(k) 以後、上記(g)〜(j)を繰り返す。
【００３５】
(x) 吊り足場パネルを用いて、円筒形建物の回りに水平方向に吊り足場パネルからなる仮設足場を構築していく別法として、爪形状の受けブラケットを取り付けてこれに１枚目の吊り足場パネルを連結していく代わりに、支持ブラケットを介して爪形状の受け金具を有するスターターパネルを設置してこのスターターパネルに１枚目の吊り足場パネルを連結していってもよい。すなわち、上記(viii)における(b)と(c)の工程を、次の(b’)と(c’)の工程に置き換えてもよい。
【００３６】
(b’)吊り足場パネルからなる仮設足場を構築しようとするのと同じレベルの上記昇降用の仮設足場の一段に、支持ブラケットを円筒形建物の円周方向に迫り出して取り付け、その上に、吊り足場パネルの連結部に設けられた預け金具を受容することができる爪形状の受け金具を有するスターターパネルを、上記支持ブラケット上に水平レベルに設置し、その後、水平レベルで固定されているスターターパネルに支柱材を立設したのち、手摺を形成する。
【００３７】
(c’)１枚目の吊り足場パネルの預け金具を、上記の設置済みのスターターパネルの爪形状の受け金具上に受容した後に抜け止めすることによって、１枚目の吊り足場パネルを上記の設置済みのスターターパネルの爪形状の受け金具上に垂直に載置するとともに、１枚目の吊り足場パネル設置チェーンの一端を上記スターターパネルの支柱材に取り付け、そして他端を１枚目の吊り足場パネルのチェーン取り付け孔に取り付ける。
【００３８】
本発明は、上記の知見に基づきなされたもので、その要旨は下記(1)〜(8)の吊り足場パネル並びに下記(9)及び（10）にある。以下、総称して、本発明という。
【００３９】
(1) 円筒形建物の回りに円周方向に連結して水平に構築していく矩形の吊り足場パネルであって、吊り足場パネルの一方の連結部に棒状又は管状の預け金具を設け、かつ、他方の連結部の両端部に、抜け止め金具を備えた爪形状の受け金具を連結部とは直角に設け、さらに連結部とは直角をなす側部の受け金具側の端部にチェーン取り付け用の吊り部材を設けてなることを特徴とする吊り足場パネル。
【００４０】
(2) 受け金具は上記預け金具を受容することができるものであって、上方に開口を備える受け入れ部及び上方に庇を備える留め置き部を有し、開口から受け入れ部に受け入れた預け金具を留め置き部の庇の下に水平移動させた後に抜け止め金具を掛けることができることを特徴とする、上記(1)の吊り足場パネル。
【００４１】
(3) 抜け止め金具は突起部を有していて、留め置き部の庇の先端近傍に設置されており、庇の先端近傍を回転軸として突起部を垂直方向に回動させることができ、かつ突起部が下方にあることによって突起部を固定することができることを特徴とする、上記(2)の吊り足場パネル。
【００４２】
(4) 受け入れ部に受け入れた預け金具を留め置き部の庇の下に水平移動させることによって抜け止め金具を垂直方向に回動させ、そして、抜け止め金具の突起部が下方に来たときに突起部を固定することができることを特徴とする、上記(3)の吊り足場パネル。
【００４３】
(5) 受け金具が連結方向にスライド可能であることを特徴とする、上記(1)〜(4)のいずれかの吊り足場パネル。
【００４４】
(6) 円筒形建物の側面に固定するために吊り足場パネルの側方向にスライド可能な側方向固定材を連結部とは直角をなす側部の一方又は両方に有することを特徴とする、上記(1)〜(5)のいずれかの吊り足場パネル。
【００４５】
(7) 支柱を立設するためのホゾ材を連結部とは直角をなす側部の両端部に有することを特徴とする、上記(1)〜(6)のいずれかの吊り足場パネル。
【００４６】
(8) ホゾ材の一部又は全部が取り外し可能であることを特徴とする、上記(7)の吊り足場パネル。
【００４７】
(9) 次の(a)〜(k)の工程を有することを特徴とする、円筒形建物の回りに水平方向に構築していく、上記(1)〜(8)のいずれかの吊り足場パネルの施工方法。
【００４８】
(a) 円筒形建物の側面に複数段からなる昇降用の仮設足場を立てる。
【００４９】
(b) 吊り足場パネルを構築しようとするのと同じレベルの上記昇降用の仮設足場の一段に、吊り足場パネルの連結部に設けられた預け金具を受容することができる爪形状の受けブラケットを円筒形建物の円周方向に水平に取り付ける。
【００５０】
(c) １枚目の吊り足場パネルの預け金具を上記受けブラケット上に受容した後に抜け止めすることによって、１枚目の吊り足場パネルを上記の受けブラケット上に垂直に載置するとともに、１枚目の吊り足場パネル設置チェーンの一端を上記仮設足場に取り付け、そして他端を１枚目の吊り足場パネルのチェーン取り付け孔に取り付ける。
【００５１】
(d) １枚目の吊り足場パネルのチェーン取り付け孔に取り付けた設置チェーンを徐々に伸ばすことによって、上記受けブラケット上に垂直に載置した１枚目の吊り足場パネルの預け金具を回転軸として、１枚目の吊り足場パネルを水平レベルまで回転させ、設置チェーンを張って、１枚目の吊り足場パネルを水平レベルで固定させることで、１枚目の吊り足場パネルを設置する。
【００５２】
(e) １枚目の吊り足場パネル吊りチェーンの一端を円筒形建物の外周壁に備わる配管受け金具又は補強材に取り付け、そして、他端を１枚目の吊り足場パネルのチェーン取り付け孔に取り付けたのち、設置済みの１枚目の吊り足場パネルの水平レベルを保ったまま、設置チェーンを外す。
【００５３】
(f) 水平レベルで固定されている、設置済みの１枚目の吊り足場パネルに支柱材を立設したのち、手摺を形成する。
【００５４】
(g) 上記水平レベルで固定されている、設置済みの１枚目の吊り足場パネルの爪形状の受け金具に、２枚目の吊り足場パネルを垂直に載置するとともに、２枚目の吊り足場パネル設置チェーンの一端を上記支柱材に取り付け、そして他端を２枚目の吊り足場パネルのチェーン取り付け孔に取り付ける。
【００５５】
(h) ２枚目の吊り足場パネルのチェーン取り付け孔に取り付けた設置チェーンを徐々に伸ばすことによって、上記縦に載置した２枚目の吊り足場パネルの預け金具を回転軸として、２枚目の吊り足場パネルを水平レベルまで回転させ、２枚目の吊り足場パネル設置チェーンを張って、２枚目の吊り足場パネルを水平レベルで固定させることで、２枚目の吊り足場パネルを設置する。
(i) ２枚目の吊り足場パネル吊りチェーンの一端を円筒形建物の最上部回りに備わる通路又は配管ブラケットに取り付け、そして、他端を２枚目の吊り足場パネルのチェーン取り付け孔に取り付けたのち、２枚目の吊り足場パネルの水平レベルを保ったまま、設置チェーンを外す。
【００５６】
(j) 水平レベルで固定されている、設置済みの２枚目の吊り足場パネルに支柱材を立設したのち、手摺を形成する。
【００５７】
(k) 以後、上記(g)〜(j)を繰り返す。
【００５８】
(10) 次の(a)〜(k)の工程を有することを特徴とする、円筒形建物の回りに水平方向に構築していく、上記(1)〜(8)のいずれかの吊り足場パネルの施工方法。
【００５９】
(a) 円筒形建物の側面に複数段からなる昇降用の仮設足場を立てる。
【００６０】
(b) 吊り足場パネルを構築しようとするのと同じレベルの上記昇降用の仮設足場の一段に、支持ブラケットを円筒形建物の円周方向に迫り出して取り付け、その上に、吊り足場パネルの連結部に設けられた預け金具を受容することができる爪形状の受け金具を有するスターターパネルを上記支持ブラケット上に水平レベルに設置し、その後、水平レベルで固定されている、設置済みのスターターパネルに支柱材を立設したのち、手摺を形成する。
【００６１】
(c) １枚目の吊り足場パネルの預け金具を上記の設置済みのスターターパネルの爪形状の受け金具上に受容した後に抜け止めすることによって、１枚目の吊り足場パネルを上記のスターターパネルの爪形状の受け金具上に垂直に載置するとともに、１枚目の吊り足場パネル設置チェーンの一端を上記の設置済みのスターターパネルの支柱材に取り付け、そして他端を１枚目の吊り足場パネルのチェーン取り付け孔に取り付ける。
【００６２】
(d) １枚目の吊り足場パネルのチェーン取り付け孔に取り付けた設置チェーンを徐々に伸ばすことによって、上記の受けブラケット上に垂直に載置した１枚目の吊り足場パネルの預け金具を回転軸として、１枚目の吊り足場パネルを水平レベルまで回転させ、設置チェーンを張って、１枚目の吊り足場パネルを水平レベルで固定させることで、１枚目の吊り足場パネルを設置する。
【００６３】
(e) １枚目の吊り足場パネル吊りチェーンの一端を円筒形建物の外周壁に備わる配管受け金具又は補強材に取り付け、そして、他端を１枚目の吊り足場パネルのチェーン取り付け孔に取り付けたのち、１枚目の吊り足場パネルの水平レベルを保ったまま、設置チェーンを外す。
【００６４】
(f) 水平レベルで固定されている、設置済みの１枚目の吊り足場パネルに支柱材を立設したのち、手摺を形成する。
【００６５】
(g) 上記水平レベルで固定されている、設置済みの１枚目の吊り足場パネルの爪形状の受け金具に、２枚目の吊り足場パネルを垂直に載置するとともに、２枚目の吊り足場パネル設置チェーンの一端を上記支柱材に取り付け、そして他端を２枚目の吊り足場パネルのチェーン取り付け孔に取り付ける。
【００６６】
(h) ２枚目の吊り足場パネルのチェーン取り付け孔に取り付けた設置チェーンを徐々に伸ばすことによって、上記縦に載置した２枚目の吊り足場パネルの預け金具を回転軸として、２枚目の吊り足場パネルを水平レベルまで回転させ、２枚目の吊り足場パネル設置チェーンを張って、２枚目の吊り足場パネルを水平レベルで固定させることで、２枚目の吊り足場パネルを設置する。
【００６７】
(i) ２枚目の吊り足場パネル吊りチェーンの一端を円筒形建物の最上部回りに備わる通路又は配管ブラケットに取り付け、そして、他端を２枚目の吊り足場パネルのチェーン取り付け孔に取り付けたのち、２枚目の吊り足場パネルの水平レベルを保ったまま、設置チェーンを外す。
【００６８】
(j) 水平レベルで固定されている、設置済みの２枚目の吊り足場パネルに支柱材を立設したのち、手摺を形成する。
【００６９】
(k) 以後、上記(g)〜(j)を繰り返す。
【発明の効果】
【００７０】
本発明は、円筒形建物の全周・全面に渡る補修や点検作業などを短期間で行う仮設足場を構築することができる吊り足場パネルとその施工方法を提供することができる。
【図面の簡単な説明】
【００７１】
【図１】円筒形の石油タンクの吊り足場の従来例である。
【図２】円筒形の石油タンクの吊り足場の従来例である。
【図３】本発明に係る吊り足場パネルの一例（本発明）である。
【図４】本発明に係る吊り足場パネルの預け金具及び受け金具の一例である。
【図５】受け金具への預け金具の受容の手順(a)〜(e)を示す。
【図６】本発明に係る吊り足場パネルの側方向固定材に関して、(a)に側方向固定材取り付け管のスライドの動きを示し、(b)と(c)に側方向固定材の２例を示す。
【図７】本発明に係る吊り足場パネルのホゾ材の一例を示す。(a)は平面図、(b)は正面図、(c)は左図が(b)のＡ部拡大図であり、右図が(b)のＢ部拡大図である。
【図８】本発明に係る吊り足場パネルの吊り部材の一例である。
【図９】本発明に係る吊り足場パネルの吊り部材の他の例（正面図）である。
【図１０】本発明に係る吊り足場パネルに設置する手摺材の一例である
【図１１】石油タンクの側壁に昇降用の複数段の仮設足場を構築する。
【図１２】仮設足場の最上段の直ぐ下の段に受けブラケットを石油タンクの円周方向に水平に取り付ける。
【図１３】仮設足場の支柱に吊り足場パネル設置チェーンの一端を取り付ける。
【図１４】１枚目の吊り足場パネルのチェーン取り付け孔に吊り足場パネル設置チェーン６４の他端を取り付ける。
【図１５】１枚目の吊り足場パネルを受けブラケットの上に受容し預け金具の抜け止めをする。
【図１６】１枚目の吊り足場パネルのチェーン取り付け孔に取り付けた吊り足場パネル設置チェーンを徐々に伸ばす。
【図１７】１枚目の吊り足場パネルを水平レベルまで回転させ吊り足場パネル設置チェーンを張って水平レベルで固定させる。
【図１８】点検用通路にチェーン取り付け金具を設置する。
【図１９】チェーン取り付け金具に吊りチェーンの一端を取り付け、そして、他端を１枚目の吊り足場パネルのチェーン取り付け孔に取り付ける。
【図２０】１枚目の吊り足場パネルの水平レベルを保ったまま設置チェーンを外す。
【図２１】支柱を立設する。
【図２２】立設した支柱の間に手摺材を取り付けて手摺を形成する。
【図２３】１枚目の吊り足場パネルの支柱に吊り足場パネル設置チェーンの一端を取り付ける。
【図２４】１枚目の吊り足場パネルの上の吊り足場パネルのチェーン取り付け孔に吊り足場パネル設置チェーン６４の他端を取り付ける。
【図２５】預け金具の側を下にしたまま、２枚目の吊り足場パネルを１枚目の吊り足場パネルの受け金具の上に受容し預け金具の抜け止めをする。
【図２６】２枚目の吊り足場パネルのチェーン取り付け孔に取り付けた吊り足場パネル設置チェーンを徐々に伸ばして２枚目の吊り足場パネルを水平レベルまで回転させる。
【図２７】点検用通路にチェーン取り付け金具を設置する。
【図２８】チェーン取り付け金具に吊りチェーンの一端を取り付け、そして、他端を２枚目の吊り足場パネルのチェーン取り付け孔に取り付ける。
【図２９】２枚目の吊り足場パネルの水平レベルを保ったまま、設置チェーン６４を外す。
【図３０】２枚目の吊り足場パネル６のホゾ材（固定タイプ）に支柱を立設する。
【図３１】２枚目の吊り足場パネルの支柱と、既に設置済みの１枚目の吊り足場パネルの支柱との間に手摺材を取り付けて、２枚目の吊り足場パネルの上に手摺を設置する。
【図３２】吊り足場パネルの設置角度の調節の手順(a)〜(c)を示す平面図である。
【図３３】石油タンクの全周に渡って第１段目の連続吊り足場パネルが設置される。
【図３４】点検用通路から第２段目の吊り足場パネル用の吊りチェーンを吊り下げる。
【図３５】第１段目の連続吊り足場パネルの構築と同様の手順で、第２段目の連続吊り足場パネルを構築していく。
【図３６】５段の連続吊り足場パネルが石油タンクの外周の全周に渡って設置される。
【図３７】三角形状の支持ブラケットを石油タンクの円周方向に迫り出して取り付ける。
【図３８】爪形状の受け金具を有するスターターパネルを支持ブラケットの上に水平に架け渡して設置する。
【図３９】スターターパネルにホゾ材を介して支柱を立設する。
【図４０】立設した支柱の間に手摺材を水平に取り付けてスターターパネルの手摺を形成する。
【図４１】スターターパネルの支柱には吊り足場パネル設置チェーンの一端が取り付けられる。
【図４２】スターターパネルの上に載置した１枚目の吊り足場パネルのチェーン取り付け孔に吊り足場パネル設置チェーンの他端が取り付けられる。
【図４３】預け金具の側を下にしたまま、１枚目の吊り足場パネルをスターターパネルの受け金具の上に受容し預け金具の抜け止めをする。
【図４４】１枚目の吊り足場パネルの吊り部材のチェーン取り付け孔に取り付けた吊り足場パネル設置チェーンを徐々に伸ばして、１枚目の吊り足場パネルの預け金具を回転軸として回転させる。
【図４５】１枚目の吊り足場パネルを水平レベルまで回転させ、吊り足場パネル設置チェーンを張って、１枚目の吊り足場パネルを水平レベルで固定させる。
【図４６】点検用通路に設置されたチェーン取り付け金具に吊りチェーンの一端を取り付け、そして、他端を１枚目の吊り足場パネル６のチェーン取り付け孔に取り付ける。
【図４７】１枚目の吊り足場パネルの水平レベルを保ったまま、設置チェーンを外す。
【図４８】１枚目の吊り足場パネルの支柱と、既に立設済みのスターターパネルの支柱 との間に手摺材を水平に取り付けて、１枚目の吊り足場パネルの手摺を形成する。
【発明を実施するための形態】
【００７２】
以下、図面を用いて、本発明に係る吊り足場パネル及びその施工方法を説明する。なお、本発明は以下の実施例に限定されるものではない。
【００７３】
（実施例１−吊り足場パネルの一例）
図３に、本発明に係る吊り足場パネルの一例を示す。(a)が平面図、(b)が正面図である。
【００７４】
この吊り足場パネル６は、連結部６ｂ、６ｂ’と側部６ａ、６ａ’からなる矩形の枠組の上に、チェッカープレートからなる床材８を張ったものである。吊り足場パネル６の一方（左側）の連結部６ｂに管状の預け金具４１を設け、かつ、他方（右側）の連結部６ｂ’には、抜け止め金具４３を備えた爪形状の受け金具４２が連結部６ｂ’とは直角に２個設けられている。さらに、吊り足場パネルの側部６ａ、６ａ’の右側端部には、それぞれ、チェーン取り付け孔４５を２個備えた、プレート形状の吊り部材４４が設けられている。このチェーン取り付け孔４５は、後述するように、吊り足場パネルからなる仮設足場の構築時に円筒形建物の外周壁に備わる配管受け金具若しくは補強材又は点検用通路から吊り足場パネル６を吊り下げるための吊りチェーンと、設置済みの吊り足場パネルの隣に新たな吊り足場用パネルを連続して設置するための設置チェーンを取り付けるためである。したがって、吊り部材４４には、吊りチェーン用の孔４５ａと設置チェーン用の孔４５ｂの２個が設けられている。ここでは、２個の孔の間には切り欠きがあるが、２個の孔は別個に設けてもよい。吊り足場パネルの床材８は、受け金具４２の近傍に開口部８ａが穿たれており、この開口部８ａから受け金具位置調整ボルト５０を操作することができる。
【００７５】
図４は、本発明に係る吊り足場パネルの預け金具及び受け金具の一例である。(a)は預け金具（左図）及び受け金具（右図）の一部拡大平面図である。(b)及び(b’)は、(a)のＡ−Ａ矢視断面図（正面図）を示す。(c)は(b)のＢ部拡大図を示す。
【００７６】
吊り足場パネルの受け金具４２は、吊り足場パネルの右側の連結部６ｂ’の両端近傍に受け金具取り付け管５１を介して連結部６ｂ’に対して直角に取り付けられている。受け金具取り付け管５１は二重管であって、連結方向にスライドすることができる。ここでは、二重管を適宜長さにスライドさせたのち、受け金具位置調整ボルト５０を締めることでその長さを固定することができる。したがって、受け金具位置調整ボルト５０を操作することで、吊り足場パネルの連結方向に受け金具４２の位置をそれぞれ別個に調整することができる。ここでは、設置済みの吊り足場パネルの床面の上からでも取り付け管のスライドができるように、吊り足場パネルの床材に開口部８ａが設けられているので、この開口部８ａを通して受け金具位置調整ボルト５０を操作することができる。
【００７７】
受け金具４２は平板の爪形状であり、上方に開口４２ｃを備える受け入れ部４２ａ及び上方に庇４２ｄを備える留め置き部４２ｂを有し、連結すべき吊り足場パネルの預け金具４１を、設置済みの吊り足場パネルの受け金具４２に受容することができる。留め置き部４２ｂの庇４２ｄの先端近傍には、抜け止め金具４３が設置されており、突起部４３ａを有している。抜け止め金具４３は庇４２ｄの先端近傍を回転軸として突起部４３ａを垂直方向に回動させることができ、抜け止め金具４３を庇４２ｄの上に固定することができる。抜け止め金具４３は垂直方向に回動させた状態では、留め置き部４２ｂに突出しない形状となっており、受容の際には、この預け金具４１を開口４２ｃから受け入れ部４２ａに受け入れ、庇４２ｄの下の留め置き部４２ｂに水平移動させた後に、抜け止め金具４３を掛ける。ここでは、預け金具４１を水平移動させると抜け止め金具４３の突起部４３ａに預け金具４１が接触するので、預け金具４１の動きに伴って抜け止め金具４３が垂直方向に回動する。預け金具４１を留め置き部４２ｂまで移動させた後、抜け止め金具４３を逆回転させて、抜け止め金具４３を庇４２ｄの上に固定すると抜け止め金具４３が掛かる。このとき、抜け止め金具４３の突起部４３ａが預け金具４１の右側に存在するので、預け金具４１は留め置き部４２ｂに留め置かれることとなる。
【００７８】
図５に、受け金具への預け金具の受容の手順(a)〜(e)を示す。
【００７９】
設置済みの吊り足場パネルの受け金具４２に、連結すべき吊り足場パネルの預け金具４１を受容する際の手順は、次の(a)〜(e)に示すとおりである。
(a) 連結すべき足場パネルの預け金具４１を、設置済みの足場パネルの受け金具４２の開口４２ｃから受け入れ部４２ａに受け入れる。
(b) 受け金具４２の受け入れ部４２ａに受け入れた預け金具４１を左方に水平移動させる。
(c) さらに預け金具４１を左方に水平移動させると、預け金具４１が抜け止め金具４３の突起部４３ａに触れる。このとき、抜け止め金具４３が庇４２ｄの先端近傍を回転軸として垂直方向に回転させ、抜け止め金具４３が留め置き部４２ｂに突出させないようにする。
(d) さらに、預け金具４１を左方に水平移動させて、預け金具４１を庇４２ｄの下の留め置き部４２ｂで留め置く。
(e) 抜け止め金具４３を手動で逆回転させて、抜け止め金具４３を庇４２ｄの上に固定させる。抜け止め金具４３の突起部４３ａが預け金具４１の右側に存在するので、預け金具４１は留め置き部４２ｂに留め置かれる。
【００８０】
図６に、本発明に係る吊り足場パネルの側方向固定材に関して、(a)に側方向固定材取り付け管のスライドの動きを示し、(b)と(c)に側方向固定材の２例を示す。
【００８１】
側方向固定材４６は、吊り足場パネルを円筒形建物の側面に固定するためのものであり、吊り足場パネルを円筒形建物（図示せず）の側面に吸着もしくは固定させることができる。側方向固定材４６は、吊り足場パネルの側方向にスライド可能な側方向固定材取り付け管５３の先端に設けられている。側方向固定材取り付け管５３は、吊り足場パネルの側部６ａ’の端部近傍に直角に設けられている。側方向固定材取り付け管５３は二重管でできていて、図５(a)に示すように、この二重管を適宜長さにスライドさせることができる。この二重管には、側方向固定材位置調整ボルト５４が設けられているので、二重管をスライドさせたのち、側方向固定材位置調整ボルト５４を締めることでその長さを固定することができる。側方向固定材４６としては、円筒形建物の側面に吸着もしくは固定することができるものであればよく、例えば、磁石４６ａ（図５(b)）、吸盤４６ｂ（図５(c)）を挙げることができる。
【００８２】
図７は、本発明に係る吊り足場パネルのホゾ材の一例を示す。(a)は平面図、(b)は正面図、(c)は左図が(b)のＡ部拡大図であり、右図が(b)のＢ部拡大図である。
【００８３】
吊り足場パネルのホゾ材４７は、手摺柱などの支柱（図示せず）を吊り足場パネルの側部に立設するためのものであり、吊り足場パネルの側部６ａ、６ａ’の両端部近傍の合計４か所に設けられている。ここでは、受け金具４２の側の端部近傍には吊り足場パネルの側部６ａ、６ａ’に固定されるホゾ材（固定タイプ）４７ａ、４７ａが設置されており、預け金具４１の側の端部近傍には吊り足場パネルの側部６ａ、６ａ’から着脱できるホゾ材（着脱可能タイプ）４７ｂ、４７ｂが設置されている。いずれのホゾ材も、管形状の支柱を上方から垂直方向に外挿できる鋼管からなり、上部に支柱を固定するための支柱固定用孔４７を有する。なお、ここでは、固定タイプのホゾ材４７ａは溶接により吊り足場パネルの側部６ａ、６ａ’に固定されており、着脱タイプの保材４７ｂはボルトナット４７ｃにより吊り足場パネルの側部６ａ、６ａ’に固定されている。
【００８４】
図８は、本発明に係る吊り足場パネルの吊り部材の一例である。(a)は吊り足場パネルの平面図、(b)は正面図をそれぞれ示す。
【００８５】
吊り足場パネルの吊り部材４４は、吊り足場パネルの側部６ａ、６ａ’の受け金具４２の側の端部近傍に溶接により接合されている。プレート形状を有しており、チェーン取り付け孔が２個穿たれている。それぞれ、吊り足場パネルを円筒形建物の外周壁に備わる配管受け金具又は補強材から吊り下げておくための吊りチェーン用の孔４５ａと、吊り足場構築時に設置済みの吊り足場パネルの隣に、新たな吊り足場用パネルを連結して設置するために使用する設置チェーン用の孔４５ｂである。設置チェーンは吊り足場パネルの設置完了後は、設置チェーン用孔から外され、回収される。なお、ここでは、独立して２個の孔が穿たれているが２個の孔の間に切り欠きを設けてもよいし、２個の孔を合わせて１個の長孔又は大きな孔としてもよい。あるいは、さらに、１個以上の孔を追加してもよい。
【００８６】
図９は、本発明に係る吊り足場パネルの吊り部材の他の例（正面図）である。
【００８７】
吊り足場パネルの吊り部材は、その孔の数や穿つ位置によって種々ある。図７に示す吊り部材に代えることができる。(a)と(b)は、吊りチェーン用孔４５ａと設置チェーン用孔４５ｂの間に切り欠きを設けたものであり、(c)は吊りチェーン用と設置チェーン用を兼ねるチェーン取り付け孔４５として１個の長孔としたものである。(d)は、吊り足場パネルからなる仮設足場を、構築済みの吊り足場からなる仮設足場の下段に構築する場合に、吊り足場パネルを下方に吊り下げておくためのチェーンを取り付けるための吊りチェーン用の孔４５ａ’を吊り部材の下部に追加したものである。
【００８８】
図１０は、本発明に係る吊り足場パネルに設置する手摺材の一例である。(a)が平面図、(b)が正面図である。(c)は手摺材を伸ばし、かつ、途中で折り曲げたときの状態を示す平面図である。
【００８９】
この手摺材７２は途中に間接部７２ａを有していて、間接部７２ａを回転軸として回転させることによって折り曲げることできる。また、この手摺材７２の途中は二重管で構成されていて、長さ調整ボルト７２ｂを操作することによって長さ方向にスライドすることで手摺材７２を伸縮することができる。
【００９０】
（実施例２−吊り足場パネルの施工方法の一例）
本発明に係る吊り足場パネルを石油タンクの回りに構築する施工方法の一例を、順を追って説明する。図面はいずれも石油タンクを正面から見た図である。
【００９１】
図１１に示すように、まずは、石油タンク３１の下回りの配管３１ｃが少ない場所を選んで、階段６０ａを備える昇降用の複数段の仮設足場６０を構築する。最上段には点検用通路３１ｄが設けられていて、作業員がこの通路上を移動することができる。
【００９２】
次に、図１２(a)に示すように、仮設足場６０の最上段の直ぐ下の段に、爪形状の受けブラケット６２を２個、石油タンクの円周方向に水平に取り付ける。図１２(b)に示すとおり、この受けブラケット６２は吊り足場パネルの受け金具４２と同じ形状（受け入れ部６２ａ、留め置き部６２ｂ、開口６２ｃ、庇６２ｄ）と機能を有しており、突起部６３ａのある抜け止め金具６３も備えている。したがって、吊り足場パネルの受け金具と同様に、吊り足場パネルの連結部に設けられた預け金具を受容して、留め置き部に留め置いて抜け止めすることができる。
【００９３】
図１３に示すように、上記昇降用の仮設足場の支柱６０ｂには吊り足場パネル設置チェーン６４の一端が取り付けられ、次いで、図１4に示すように、上記昇降用の仮設足場の床面の上に預け金具の側を下にして垂直に載置した１枚目の吊り足場パネルのチェーン取り付け孔には、吊り足場パネル設置チェーン６４の他端が取り付けられる。この作業は、１枚目の吊り足場パネルの２つの側部のそれぞれでなされる。その後、図１５に示すように、預け金具の側を下にしたまま、１枚目の吊り足場パネル６を上記２個の受けブラケット６２の上に受容し、預け金具の抜け止めをする。
【００９４】
そして、図１６に示すように、１枚目の吊り足場パネルのチェーン取り付け孔のそれぞれに取り付けた２個の吊り足場パネル設置チェーンを徐々に伸ばすことによって、上記２個の受けブラケット６２の上に垂直に載置した１枚目の吊り足場パネル６の預け金具を回転軸として回転させる。
【００９５】
次いで、図１７に示すように、１枚目の吊り足場パネル６を水平レベルまで回転させ、２個の吊り足場パネル設置チェーン６４を張って、１枚目の吊り足場パネル６を水平レベルで固定させることで、１枚目の吊り足場パネル６を設置する。この結果、受けブラケット６２に抜け止めされた２か所の預け金具４１と、吊り足場パネル設置チェーン６４に取り付けられた２か所の設置チェーン用孔４５ｂの４つの支持点によって、１枚目の吊り足場パネルが支えられて設置されるので、作業員が安定して載れる状態となる。
【００９６】
次に、図１８に示すように、作業員２１が水平レベルで固定した、設置済みの１枚目の吊り足場パネル６の上に立ち、点検用通路３１ｄの別の作業員２１’とともに、点検用通路３１ｄにチェーン取り付け金具６７を設置する。
【００９７】
その後、図１９(a)と、図１９(a)のＡ部の拡大図の図１９(b)に示すように、このチェーン取り付け金具６７に吊りチェーン６８の一端を取り付け、そして、他端を１枚目の吊り足場パネル６のチェーン取り付け孔４５ａに取り付ける。この作業は、１枚目の吊り足場パネル６の２つのチェーン取り付け孔４５ａのそれぞれでなされる。この結果、１枚目の吊り足場パネル６は、受けブラケット６２に抜け止めされた２か所の預け金具と、吊り足場パネル設置チェーン６４に取り付けられた２か所の設置チェーン用孔４５ｂに加えて、チェーン取り付け金具６７から吊り下げられた吊りチェーン６８に取り付けられた１枚目の吊り足場パネル６の２か所のチェーン取り付け孔４５ａの６つの支持点によって、１枚目の吊り足場パネルが支えられることになる。
【００９８】
次いで、図２０に示すように、設置済みの１枚目の吊り足場パネルの水平レベルを保ったまま、設置チェーン６４を外す。これは、吊り足場パネル設置チェーン６４を外しても、設置済みの１枚目の吊り足場パネル６は残る４か所で支えられているので、作業員２１が安定して載れる状態のまま水平レベルで固定されているからである。
【００９９】
そして、図２１に示すように、設置済みの１枚目の吊り足場パネル６の預け金具の側の端部近傍に設置されたホゾ材（着脱可能タイプ）４７ｂの上と、１枚目の吊り足場パネル６の受け金具４２の側の端部近傍に設置されたホゾ材（固定タイプ）４７ａの上に、それぞれ、支柱７０を立設する。
【０１００】
次いで、図２２に示すように、立設した支柱７０の間に手摺材７２を取り付けることによって、設置済みの１枚目の吊り足場パネルの手摺を形成する。  
【０１０１】
図２３は、２枚目の吊り足場パネルを設置するための準備であり、まず設置済みの１枚目の吊り足場パネル６の支柱７０に吊り足場パネル設置チェーン６４の一端が取り付けられる。次いで、図２４に示すように、設置済みの１枚目の吊り足場パネル６の上に預け金具の側を下にして垂直に載置した２枚目の吊り足場パネル６’のチェーン取り付け孔に、吊り足場パネル設置チェーン６４の他端が取り付けられる。この作業は、２枚目の吊り足場パネル６’の２つの側部のそれぞれでなされる。その後、図２５に示すように、預け金具の側を下にしたまま、２枚目の吊り足場パネル６’を１枚目の吊り足場パネル６の２個の受け金具４２の上に受容し、預け金具の抜け止めをする。
【０１０２】
そして、図２６に示すように、２枚目の吊り足場パネル６’のチェーン取り付け孔のそれぞれに取り付けた２個の吊り足場パネル設置チェーンを徐々に伸ばすことによって、上記１枚目の吊り足場パネル６の２個の受け金具の上に垂直に載置した２枚目の吊り足場パネル６’の預け金具を回転軸として、２枚目の吊り足場パネル６’を水平レベルまで回転させる。
【０１０３】
次いで、２個の吊り足場パネル設置チェーン６４を張って、２枚目の吊り足場パネル６’を水平レベルで固定させることで、２枚目の吊り足場パネル６’を設置する。この結果、１枚目の吊り足場パネル６の２個の受け金具に抜け止めされた、２枚目の吊り足場パネル６’の２か所の預け金具と、吊り足場パネル設置チェーン６４に取り付けられた２か所の設置チェーン用孔の４つの支持点によって、２枚目の吊り足場パネル６’が支えられて設置されるので、作業員が安定して載れる状態となる。
【０１０４】
次に、図２７に示すように、作業員２１が水平レベルで固定した、設置済みの２枚目の吊り足場パネル６’の上に立ち、点検用通路３１ｄの別の作業員２１’とともに、点検用通路３１ｄにチェーン取り付け金具６７を設置する。
【０１０５】
その後、図２８(a)と、図２８(a)のＡ部の拡大図の図２８(b)に示すように、このチェーン取り付け金具６７に吊りチェーン６８の一端を取り付け、そして、他端を２枚目の吊り足場パネル６’のチェーン取り付け孔４５ａに取り付ける。この作業は、２枚目の吊り足場パネル６の２つのチェーン取り付け孔４５ａのそれぞれでなされる。この結果、２枚目の吊り足場パネル６’は、１枚目の吊り足場パネル６の受け金具４２に抜け止めされた２か所の預け金具と、吊り足場パネル設置チェーン６４に取り付けられた２か所の設置チェーン用孔４５ｂに加えて、チェーン取り付け金具６７から吊り下げられた吊りチェーン６８に取り付けられた２枚目の吊り足場パネル６’の２か所のチェーン取り付け孔４５ａの６つの支持点によって、設置済みの２枚目の吊り足場パネル６’が支えられることになる。
【０１０６】
次いで、図２９に示すように、設置済みの２枚目の吊り足場パネルの水平レベルを保ったまま、設置チェーン６４を外す。これは、吊り足場パネル設置チェーン６４を外しても、２枚目の吊り足場パネル６’は残る４か所で支えられているので、作業員が安定して載れる状態のまま水平レベルで固定されているからである。
【０１０７】
そして、図３０に示すように、設置済みの２枚目の吊り足場パネル６の受け金具４２の側の端部近傍に設置されたホゾ材（固定タイプ）４７ａの上に支柱７０’を立設する。
【０１０８】
次いで、図３１に示すように、設置済みの２枚目の吊り足場パネル６に立設した支柱７０’と、既に設置済みの１枚目の吊り足場パネル６の支柱７０との間に手摺材７２を取り付けることによって、設置済みの２枚目の吊り足場パネルの両方の側部の上に手摺を設置する。
【０１０９】
図３２は、吊り足場パネルの設置角度の調節の手順(a)〜(c)を示す平面図である。
【０１１０】
設置時の２枚目の吊り足場パネル６’の預け金具は、設置済みの１枚目の吊り足場パネル６の２つの受け金具に受容されている。図３に示したとおり、受け金具は、それぞれ、連結方向にスライド可能な受け金具取り付け管５１を介して取り付けられており、それぞれ、受け金具位置調整ボルト５０、５０’によって長さを調整することができるが、当初はいずれの受け金具取り付け管５１も最短の長さに固定されている。
【０１１１】
(a) 石油タンク３１の側にある受け金具位置調整ボルト５０は締め付けたままにするが、反対側にある受け金具位置調整ボルト５０’は緩める。
【０１１２】
(b) 次いで、この受け金具位置調整ボルト５０を操作することで、設置済みの２枚目の吊り足場パネル６の手前側だけを右方向に迫り出すことができる。設置済みの２枚目の吊り足場パネル６’の石油タンク側の側方向固定材４６’が石油タンクに接触するまで迫り出したときに、この受け金具位置調整ボルト５０’を締めることで、設置済みの２枚目の吊り足場パネル６’を側方向に固定することができる。このように、設置済みの２枚目の吊り足場パネル６’の設置角度は、１枚目の吊り足場パネル６の受け金具位置調整ボルト５０により調整することができる。
【０１１３】
(c) そして、設置済みの１枚目の吊り足場パネル６と２枚目の吊り足場パネル６’の間に発生した隙間の上に隙間塞ぎ材２３を載置し固定する。
【０１１４】
以上の作業を繰り返すことによって、図３３に示すように、石油タンク３１の最上部の点検用通路３１ｄの下に、全周に渡って、第１段目の仮設足場８１を設置することができる。
【０１１５】
設置済みの第１段目の仮設足場の下に第２段目の仮設足場を構築するためには、石油タンクの外周壁に備わる配管受け金具若しくは補強材又は点検用通路から、第２段目の仮設足場として設置する吊り足場パネル用の吊りチェーンを吊り下げるか、又は、設置済みの第１段目の仮設足場の各吊り足場パネルの吊り部材の下部に追加されたチェーン取り付け孔から下段の仮設足場として設置する吊り足場パネル用の吊りチェーンを吊り下げればよい。
【０１１６】
すなわち、図３４に示すように、石油タンク３１の最上部の全周に渡って、点検用通路３１ｄから、第２段目の仮設足場として設置する吊り足場パネル用の吊りチェーン６８を吊り下げる。
【０１１７】
そして、図３５に示すように、第１段目の仮設足場の構築と同様の手順で、第２段目の仮設足場を構築していく。
【０１１８】
すなわち、図３５(a)に示すように、仮設足場６０の最上段から２つ目の段に、２個の爪形状の受けブラケット６２を石油タンクの円周方向に水平に取り付ける。次に、図３５(b)に示すように、第２段目用の吊りチェーン６８を手かき棒６９でたぐり寄せておき、そして、図３５(c)に示すように、１枚目の吊り足場パネル６にこの吊りチェーン６８を取り付けるとともに吊り足場パネル設置チェーン６４を取り付ける。次いで、図３５(d)に示すように、１枚目の吊り足場パネル６の預け金具を上記２個の受けブラケット６２の上に受容し、預け金具の抜け止めをする。そして、図３５(e)に示すように、２個の吊り足場パネル設置チェーン６４を徐々に伸ばすことによって、上記２個の受けブラケット６２の上に垂直に載置した１枚目の吊り足場パネル６の預け金具を回転軸として回転させ、１枚目の吊り足場パネルの水平レベルを保つことで、１枚目の吊り足場パネルを設置する。そして、設置チェーン６４を外す。その後は、第１段目の仮設足場の構築と同様にして、２枚目以降の吊り足場パネルを連続して順次水平に設置していくことで、第２段目の仮設足場８１を設置することができる。
【０１１９】
同じ手順を第３段目以降も繰り返すことによって、図３６に示すように、５段の仮設足場８１〜８５を石油タンク３１の外周の全周に渡って構築することができる。
【０１２０】
（実施例３−吊り足場パネルの施工方法の他の例）
本発明に係る吊り足場パネルを石油タンクの回りに構築する施工方法の他の例を、順を追って説明する。図面はいずれも石油タンクを正面から見た図である。
【０１２１】
この例では、昇降用の仮設足場の所定の段に支持ブラケットを介して爪形状の受け金具を有するスターターパネルを設置して、このスターターパネルに１枚目の吊り足場パネルを連結していく方法である。
【０１２２】
先ずは、実施例２の図１１に示すのと同様に、石油タンク３１の下回りの配管３１ｃが少ない場所を選んで、階段６０ａを備える昇降用の複数段の仮設足場６０を構築する。最上段には点検用通路３１ｄが設けられていて、作業員がこの通路上を移動することができる。
【０１２３】
次に、図３７に示すように、仮設足場６０の最上段の直ぐ下の段に、２個の三角形状の支持ブラケット５６を石油タンクの円周方向に垂直に迫り出して取り付け、次いで、図３８に示すように、それらの上に、爪形状の受け金具５７ａを２個（手前側と奥側）に有するスターターパネル５７を上記２個の支持ブラケット５６の上に水平に架け渡して設置する。この受け金具５７ａは吊り足場パネルの受け金具４２と同じ形状（受け入れ部、留め置き部、開口）と機能を有しており、突起部のある抜け止め金具も備えている。したがって、吊り足場パネルの受け金具と同様に、吊り足場パネルの連結部に設けられた預け金具を受容して、留め置き部に留め置いて抜け止めすることができる。
【０１２４】
そして、図３９に示すように、設置済みのスターターパネル５７の両サイド（手前側と奥側）に、ホゾ材を介して、それぞれ、支柱７０’’を立設する。
【０１２５】
次いで、図４０に示すように、立設した支柱７０’’の間に、それぞれ２本の手摺材７２を水平に取り付けることによって、設置済みのスターターパネル５７の手摺を形成する。
【０１２６】
図４１に示すように、上記の設置済みのスターターパネル５７の支柱７０’’には吊り足場パネル設置チェーン６４の一端が取り付けられ、次いで、図４２に示すように、設置済みのスターターパネル５７の上に、預け金具の側を下にして垂直に載置した１枚目の吊り足場パネルのチェーン取り付け孔には、吊り足場パネル設置チェーン６４の他端が取り付けられる。この作業は、１枚目の吊り足場パネルの２つの側部のそれぞれでなされる。その後、図４３に示すように、預け金具の側を下にしたまま、１枚目の吊り足場パネル６を設置済みのスターターパネル５７の２個の受け金具５７ａの上に受容し、預け金具の抜け止めをする。
【０１２７】
そして、図４４に示すように、１枚目の吊り足場パネルの吊り部材４４のチェーン取り付け孔のそれぞれに取り付けた２個の吊り足場パネル設置チェーン６４を徐々に伸ばすことによって、設置済みのスターターパネル５７の２個の受け金具５７ａの上に垂直に載置した１枚目の吊り足場パネル６の預け金具を回転軸として回転させる。
【０１２８】
次いで、図４５に示すように、１枚目の吊り足場パネル６を水平レベルまで回転させ、２個の吊り足場パネル設置チェーン６４を張って、１枚目の吊り足場パネル６を水平レベルで固定させことで、１枚目の吊り足場パネル６を設置する。この結果、設置済みのスターターパネル５７の受け金具５７ａに抜け止めされた２か所の預け金具４１と、吊り足場パネル設置チェーン６４に取り付けられた２か所の吊り部材４４のチェーン取り付け孔の４つの支持点によって、１枚目の吊り足場パネルが支えられて設置されるので、作業員が安定して載れる状態となる。
【０１２９】
次に、図４６(a)と、図４６(a)のＡ部の拡大図の図４６(b)に示すように、点検用通路３１ｄに設置されたチェーン取り付け金具６７に吊りチェーン６８の一端を取り付け、そして、他端を設置済みの１枚目の吊り足場パネル６のチェーン取り付け孔４５ａに取り付ける。この作業は、設置済みの１枚目の吊り足場パネル６の２つのチェーン取り付け孔４５ａのそれぞれでなされる。この結果、設置済みの１枚目の吊り足場パネル６は、スターターパネル５７の受け金具５７ａに抜け止めされた２か所の預け金具と、吊り足場パネル設置チェーン６４に取り付けられた２か所の設置チェーン用孔４５ｂに加えて、チェーン取り付け金具６７から吊り下げられた吊りチェーン６８に取り付けられた１枚目の吊り足場パネル６の２か所のチェーン取り付け孔４５ａの６つの支持点によって、設置済みの１枚目の吊り足場パネルが支えられることになる。
【０１３０】
次いで、図４７に示すように、設置済みの１枚目の吊り足場パネルの水平レベルを保ったまま、設置チェーン６４を外す。これは、吊り足場パネル設置チェーン６４を外しても、設置済みの１枚目の吊り足場パネル６は残る４か所で支えられているので、作業員２１が安定して載れる状態のまま水平レベルで固定されているからである。
【０１３１】
そして、図４８に示すように、設置済みの１枚目の吊り足場パネル６の両サイド（手前側と奥側）にホゾ材を介して立設された支柱７０と、設置済みのスターターパネル５７の両サイド（手前側と奥側）の既に立設済みの支柱７０’’ との間に、それぞれ２本の手摺材７２を水平に取り付けることによって、設置済みの１枚目の吊り足場パネル６の手摺を形成する。
【０１３２】
その後、２枚目以降の吊り足場パネルを、実施例２と同様に、連続して順次水平に設置していくことで、第１段目の仮設足場を設置することができる。同じ手順を第２段目以降も繰り返すことによって、複数段の仮設足場を石油タンクの外周の全周に渡って設置することができる。
【産業上の利用可能性】
【０１３３】
本発明に係る吊り足場パネルとその施工方法は、円筒形建物の全周・全面に渡る補修や点検作業などを短期間で行う仮設足場を構築することができる。
【符号の説明】
【０１３４】
１  吊り足場
６、６’  吊り足場パネル
６ａ、６ａ’  側部
６ｂ、６ｂ’  連結部
８  床材
８ａ  床材の開口部
２１  作業員
２３  隙間塞ぎ材
３１  石油タンク
３１ａ  天蓋
３１ｂ  補強材
３１ｃ  配管
３１ｄ  点検用通路
４１  預け金具
４２  受け金具
４２ａ  受け入れ部
４２ｂ  留め置き部
４２ｃ  開口
４２ｄ  庇
４３  抜け止め金具
４３ａ  突起部
４４  吊り部材
４５  チェーン取り付け孔
４５ａ  吊りチェーン用孔
４５ａ’  吊りチェーン用孔
４５ｂ  設置チェーン用孔
４６、４６’  側方向固定材
４６ａ  磁石
４６ｂ  吸盤
４７  ホゾ材
４７ａ  ホゾ材（固定タイプ）
４７ｂ  ホゾ材（着脱可能タイプ）
４７ｃ  ホゾ材着脱用ボルトナット
４７ｄ  支柱固定用孔
５０、５０’  受け金具位置調整ボルト
５１  受け金具取り付け管（二重管）
５３  側方向固定材取り付け管
５４  側方向固定材位置調整ボルト
５６  支持ブラケット
５７  スターターパネル
５７ａ  受け金具
６０  昇降用の仮設足場
６０ａ  階段
６０ｂ  支柱
６２  受けブラケット
６２ａ  受け入れ部
６２ｂ  留め置き部
６２ｃ  開口
６２ｄ  庇
６３  抜け止め金具
６３ａ  突起部
６４  吊り足場パネル設置チェーン
６７  チェーン取り付け金具
６８  吊りチェーン
６９  手かき棒
７０、７０’、７０’’  支柱
７２  手摺材
７２ａ  間接部
７２ｂ  長さ調整ボルト
８１  第１段目の仮設足場
８２  第２段目の仮設足場
８３  第３段目の仮設足場
８４  第４段目の仮設足場
８５  第５段目の仮設足場
【図１】
2018204334.tif 000003
【図２】
2018204334.tif 000004
【図３】
2018204334.tif 000005
【図４】
2018204334.tif 000006
【図５】
2018204334.tif 000007
【図６】
2018204334.tif 000008
【図７】
2018204334.tif 000009
【図８】
2018204334.tif 000010
【図９】
2018204334.tif 000011
【図１０】
2018204334.tif 000012
【図１１】
2018204334.tif 000013
【図１２】
2018204334.tif 000014
【図１３】
2018204334.tif 000015
【図１４】
2018204334.tif 000016
【図１５】
2018204334.tif 000017
【図１６】
2018204334.tif 000018
【図１７】
2018204334.tif 000019
【図１８】
2018204334.tif 000020
【図１９】
2018204334.tif 000021
【図２０】
2018204334.tif 000022
【図２１】
2018204334.tif 000023
【図２２】
2018204334.tif 000024
【図２３】
2018204334.tif 000025
【図２４】
2018204334.tif 000026
【図２５】
2018204334.tif 000027
【図２６】
2018204334.tif 000028
【図２７】
2018204334.tif 000029
【図２８】
2018204334.tif 000030
【図２９】
2018204334.tif 000031
【図３０】
2018204334.tif 000032
【図３１】
2018204334.tif 000033
【図３２】
2018204334.tif 000034
【図３３】
2018204334.tif 000035
【図３４】
2018204334.tif 000036
【図３５】
2018204334.tif 000037
【図３６】
2018204334.tif 000038
【図３７】
2018204334.tif 000039
【図３８】
2018204334.tif 000040
【図３９】
2018204334.tif 000041
【図４０】
2018204334.tif 000042
【図４１】
2018204334.tif 000043
【図４２】
2018204334.tif 000044
【図４３】
2018204334.tif 000045
【図４４】
2018204334.tif 000046
【図４５】
2018204334.tif 000047
【図４６】
2018204334.tif 000048
【図４７】
2018204334.tif 000049
【図４８】
2018204334.tif 000050